(57)【要約】      （修正有）【課題】折胴と協働してシートを挟んで搬送する搬送ベルトの折胴の径方向内側への入り込みを抑制するできる折機を提供する。【解決手段】折胴１２０の第一の胴カバー１２５と第二の胴カバー１２６との周方向に対向する端部側同士が、折胴１２０の軸方向で重なる位置に位置できるように形成され、搬送ベルト１５１が、折胴１２０の径方向内側への入り込みを抑制されるように第一の胴カバー１２５と第二の胴カバー１２６とに支持されている。【選択図】図２
2015160726.tif 000002
【特許請求の範囲】
【請求項１】
回転可能に支持された第一の胴本体と、
前記第一の胴本体に同軸をなして設けられて当該第一の胴本体に対して周方向に回動移動調整可能に保持されると共に当該第一の胴本体と一体的に回転する第二の胴本体と、
前記第一の胴本体の径方向外側に対して出没可能となるように当該第一の胴本体に設けられてシートを保持する針と、
前記第二の胴本体の径方向外側に対して出没可能となるように当該第二の胴本体に設けられてシートを折る折ブレードと、
前記第一の胴本体の外周面をなすように当該第一の胴本体に設けられた第一の胴カバーと、
前記第二の胴本体の外周面をなすように当該第二の胴本体に設けられた第二の胴カバーと
を具備する折胴と、
前記折胴に当接するように配設されて当該折胴と協働してシートを挟んで搬送する搬送ベルトと
を備えている折機において、
前記折胴の前記第一の胴カバーと前記第二の胴カバーとの周方向に対向する端部側同士が、当該折胴の軸方向で重なる位置に位置できるように形成され、
前記搬送ベルトが、前記折胴の径方向内側への入り込みを抑制されるように前記第一の胴カバーと前記第二の胴カバーとに支持されている
ことを特徴とする折機。
【請求項２】
請求項１に記載の折機において、
前記折胴の前記第一の胴カバーと前記第二の胴カバーとの対向する端部側同士が、互いに差し込み合うように歯形状をなしている
ことを特徴とする折機。
【発明の詳細な説明】
【技術分野】
【０００１】
本発明は、印刷されたウエブを所定の長さごとに断裁して折り畳むことにより折丁とする折機に関する。
【背景技術】
【０００２】
巻紙のウエブに印刷を施す巻紙輪転印刷機は、印刷されたウエブを所定の長さごとに断裁して折り畳むことにより折丁とする折機を備えている。この折機は、例えば、下記特許文献１等に記載されているように、印刷されたウエブを断裁胴と折胴との間に送給し、当該断裁胴の断裁刃でウエブを所定の間隔ごとに断裁すると共に当該折胴の針を差し込むことにより、断裁されたシートを折胴に受け渡し、当該折胴の周面と協働してシートを搬送ベルトで挟んで搬送し、当該折胴の折ブレードでシートの搬送方向中程を折り込むように第一のくわえ胴のくわえ板にくわえ替えすることにより、当該シートを二つ折りにした折丁として当該第一のくわえ胴に受け渡し、当該第一のくわえ胴の折ブレードで当該折丁の搬送方向中程を折り込むように第二のくわえ胴のくわえ板にくわえ替えすることにより、当該折丁を四つ折りにして当該第二のくわえ胴に受け渡した後、搬送ベルトを介して後工程へ搬送することができるようになっている。
【０００３】
このような折機において、前記折胴は、折丁の折仕様に応じて、周方向に対する折ブレードの位置を変更できるように、前記針を保持する第一の胴本体に対して、前記折ブレードを保持する第二の胴本体を周方向に回動移動できるように同軸上に組み込んだダブルシリンダ型をなすと共に、シートを面で支持できるように、前記第一の胴本体の外周面をなす第一の胴カバーと、前記第二の胴本体の外周面をなす第二の胴カバーとが設けられている。
【０００４】
ここで、前記第一，二の胴カバーは、周方向に対向する端部側同士が、互いに差し込み合うように歯形状をなすことにより、前記第一の胴本体に対する前記第二の胴本体の周方向の回動移動が阻害されることなくできるようになっている。
【先行技術文献】
【特許文献】
【０００５】
【特許文献１】特開２００６−０４４９１９号公報
【発明の概要】
【発明が解決しようとする課題】
【０００６】
前述したような従来の折機においては、折丁の折仕様に対応させるために前記折胴の前記第一の胴本体に対して前記第二の胴本体を周方向に回動移動させたときに、前記第一の胴カバーと前記第二の胴カバーとの周方向で対向する端部側同士の間に隙間が生じると、当該折胴と協働してシートを挟んで搬送する前記搬送ベルトが、当該隙間から当該折胴の径方向内側へ大きく入り込んでしまう場合があった。
【０００７】
このような折胴の径方向内側への搬送ベルトの入り込みを生じてしまうと、シートも前記折胴の径方向内側へ前記隙間から入り込んでしまうだけでなく、搬送ベルトの走行区間がショートカットされることにより、当該隙間部分における搬送ベルトと当該折胴の外周面とに速度差を生じてしまい、シートにシワや曲がりを生じてしまうことがあった。
【０００８】
このようなことから、本発明は、折胴と協働してシートを挟んで搬送する搬送ベルトの当該折胴の径方向内側への入り込みを抑制することができる折機を提供することを目的とする。
【課題を解決するための手段】
【０００９】
前述した課題を解決するための、本発明に係る折機は、回転可能に支持された第一の胴本体と、前記第一の胴本体に同軸をなして設けられて当該第一の胴本体に対して周方向に回動移動調整可能に保持されると共に当該第一の胴本体と一体的に回転する第二の胴本体と、前記第一の胴本体の径方向外側に対して出没可能となるように当該第一の胴本体に設けられてシートを保持する針と、前記第二の胴本体の径方向外側に対して出没可能となるように当該第二の胴本体に設けられてシートを折る折ブレードと、前記第一の胴本体の外周面をなすように当該第一の胴本体に設けられた第一の胴カバーと、前記第二の胴本体の外周面をなすように当該第二の胴本体に設けられた第二の胴カバーとを具備する折胴と、前記折胴に当接するように配設されて当該折胴と協働してシートを挟んで搬送する搬送ベルトとを備えている折機において、前記折胴の前記第一の胴カバーと前記第二の胴カバーとの周方向に対向する端部側同士が、当該折胴の軸方向で重なる位置に位置できるように形成され、前記搬送ベルトが、前記折胴の径方向内側への入り込みを抑制されるように前記第一の胴カバーと前記第二の胴カバーとに支持されていることを特徴とする。
【００１０】
また、本発明に係る折機は、前述した折機において、前記折胴の前記第一の胴カバーと前記第二の胴カバーとの対向する端部側同士が、互いに差し込み合うように歯形状をなしていることを特徴とする。
【発明の効果】
【００１１】
本発明に係る折機によれば、搬送ベルトが、折胴の径方向内側への入り込みを抑制されるように第一の胴カバーと第二の胴カバーとに支持されているので、折丁の折精度及び品質の低下を大きく抑制することができると共に、搬送ベルトのメンテナンスに要する手間を削減することができ、生産性の低下を防止することができる。
【図面の簡単な説明】
【００１２】
【図１】本発明に係る折機の主な実施形態の要部の概略構成図である。
【図２】図１の折胴の概略構成図である。
【図３】図２の折胴の矢線 III方向から見た図である。
【発明を実施するための形態】
【００１３】
本発明に係る折機の実施形態を図面に基づいて説明するが、本発明は図面に基づいて説明する以下の実施形態のみに限定されるものではない。
【００１４】
〈主な実施形態〉
本発明に係る折機の主な実施形態を図１〜３に基づいて説明する。
【００１５】
図１に示すように、印刷されたウエブ１を幅方向に沿って断裁する断裁刃１１１を有する断裁胴１１０には、断裁されたウエブ１のシートの前端側を保持する針１２３を周方向に沿って所定の間隔で複数（本実施形態では２つ）設けた第一の胴本体１２１に、上記シートの任意の位置を幅方向に沿って折る折ブレード１２４を周方向に沿って所定の間隔で複数（本実施形態では２つ）設けた第二の胴本体１２２を周方向に回動移動できるように同軸上に組み込んだダブルシリンダ型の折胴１２０が対接している。
【００１６】
前記折胴１２０には、上記シートの折られた上記位置をくわえるくわえ板１３３を周方向に沿って所定の間隔で複数（本実施形態では３つ）設けた第一の胴本体１３１に、上記シートを折った折丁を幅方向に沿って折る折ブレード１３４を周方向に沿って所定の間隔で複数（本実施形態では３つ）設けた第二の胴本体１３２を周方向に回動移動できるように同軸上に組み込んだダブルシリンダ型の第一のくわえ胴１３０が対接している。
【００１７】
前記第一のくわえ胴１３０には、上記折丁の任意の位置をくわえるくわえ板１４１を周方向に沿って所定の間隔で複数（本実施形態では２つ）設けた第二のくわえ胴１４０が対接している。前記第二のくわえ胴１４０には、当該第二のくわえ胴１４０から折丁を受け取って搬出する図示しない搬送ベルトが連絡している。
【００１８】
また、前記折胴１２０の、前記断裁胴１１０との対接位置よりも搬送方向下流側と前記第一のくわえ胴１３０との対接位置よりも搬送方向上流側との間の外周面には、当該折胴１２０と協働してシートを挟んで搬送する搬送ベルト１５１が対接している。
【００１９】
図２に示すように、前記折胴１２０の前記第一の胴本体１２１と前記第二の胴本体１２２とは、一体的に回転できるように駆動軸１２０ａに同軸をなして取り付けられている。また、前記第二の胴本体１２２は、前記第一の胴本体１２１に対して周方向に回動移動できるように上記駆動軸１２０ａに取り付けられている。
【００２０】
前記折胴１２０の前記針１２３は、当該折胴１２０の軸方向と平行な方向へ軸方向を向けて両端を前記第一の胴本体１２１に回動可能に支持された針作動軸１２３ａに針ホルダ１２３ｂを介して支持されており、当該針作動軸１２３ａの回動に伴って、当該折胴１２０の径方向外側に対して出没することができるようになっている。
【００２１】
前記折胴１２０の前記折ブレード１２４は、当該折胴１２０の軸方向と平行な方向へ軸方向を向けて両端を前記第二の胴本体１２２に回動可能に支持された折ブレード作動軸１２４ａに折ブレードホルダ１２４ｂを介して支持されており、当該折ブレード作動軸１２４ａの回動に伴って、当該折胴１２０の径方向外側に対して出没することができるようになっている。
【００２２】
前記第一の胴本体１２１には、当該第一の胴本体１２１の外周面をなすように当該第一の胴本体１２１を覆う第一の胴カバー１２５が前記針１２３の出没を阻害することなく可能にするように取り付けられている。前記第二の胴本体１２２には、当該第二の胴本体１２２の外周面をなすように当該第二の胴本体１２２を覆う第二の胴カバー１２６が前記折ブレード１２４の出没を阻害することなく可能にするように取り付けられている。
【００２３】
図３に示すように、前記折胴１２０の前記第一の胴カバー１２５と前記第二の胴カバー１２６とは、前記第一の胴本体１２１に対する前記第二の胴本体１２２の周方向の回動移動を阻害することなく可能にするように、対向する端部側同士が、互いに差し込み合い可能な櫛型の歯形状をなしている。
【００２４】
つまり、前記第一の胴カバー１２５と前記第二の胴カバー１２６とは、前記第一の胴本体１２１に対する前記第二の胴本体１２２の周方向の回動移動に伴って、対向する端部側同士が、周方向に重なることなく前記駆動軸１２０ａの軸方向に重なる位置に位置できるように、それぞれ形成されているのである。
【００２５】
前記搬送ベルト１５１は、前記折胴１２０の前記駆動軸１２０ａの軸方向に沿って所定の間隔で複数（本実施形態では８本）設けられており、当該駆動軸１２０ａの軸方向で重なる前記第一の胴カバー１２５と前記第二の胴カバー１２６との対向する端部側と当接するときに、当該第一の胴カバー１２５及び当該第二の胴カバー１２６の両方に上記駆動軸１２０ａの軸方向で同時に当接することができるように、それぞれ配置されている。
【００２６】
つまり、前記搬送ベルト１５１は、前記駆動軸１２０ａの軸方向で重なる前記第一の胴カバー１２５と前記第二の胴カバー１２６との対向する端部側と当接するときに、その幅方向（図３中、左右方向）で当該第一の胴カバー１２５と当該第二の胴カバー１２６との両方に支持されるように、それぞれ配置されているのである。
【００２７】
前記折胴１２０の前記第二の胴カバー１２６の前記折ブレード１２４寄りには、前記搬送ベルト１５１を幅方向（図３中、左右方向）全長にわたって支承する突出部１２６ａが櫛型の各歯ごとにそれぞれ形成されている。
【００２８】
なお、図２中、１５２は搬送ベルト１５１のガイドローラ、１５３はプーリである。
【００２９】
このような本実施形態に係る折機１００において、印刷されたウエブ１が前記断裁胴１１０と前記折胴１２０との間に送給されると、当該ウエブ１は、当該断裁胴１１０の前記断裁刃１１１により所定の間隔ごとにシート状に断裁されると共に当該折胴１２０の外周面から突出する前記針１２３が差し込まれることにより、当該針１２３にシートとして搬送方向前端側を保持されて当該折胴１２０の外周面、すなわち、前記胴カバー１２５，１２６上に支持される。
【００３０】
前記折胴１２０の外周面（前記胴カバー１２５，１２６）上に支持されたシートは、前記搬送ベルト１５１で当該折胴１２０の外周面（前記胴カバー１２５，１２６）に押さえ付けられながら前記第一のくわえ胴１３０との対接位置近傍にまで搬送される。
【００３１】
前記第一のくわえ胴１３０との対接位置にまでシートが搬送されると、当該シートは、前記折胴１２０の外周面から前記折ブレード１２４が突出することにより、その中程が折り込まれるように当該第一のくわえ胴１３０の前記くわえ板１３３にくわえ替えされ、折丁として当該第一のくわえ胴１３０の外周面上に支持される。
【００３２】
前記第一のくわえ胴１３０の外周面上に支持された折丁は、前記第二のくわえ胴１４０との対接位置にまで搬送されると、当該第一のくわえ胴１３０の外周面から前記折ブレード１３４が突出することにより、その中程がさらに折り込まれるように当該第二のくわえ胴１４０の前記くわえ板１４１にくわえ替えされ、当該第二のくわえ胴１４０の外周面上に支持される。
【００３３】
そして、前記第二のくわえ胴１４０の外周面上に支持された折丁は、前記搬送ベルトに受け渡されて搬送され、次工程に搬出される。
【００３４】
このようにしてシートを折り畳んで折丁とするにあたって、折丁の折仕様を変更する場合、前記折胴１２０においては、前記第一の胴本体１２１に対して前記第二の胴本体１２２を周方向に回動移動することにより、前記針１２３と前記折ブレード１２４との周方向の間隔を調整し、前記第一のくわえ胴１３０においては、前記第一の胴本体１３１に対して前記第二の胴本体１３２を周方向に回動移動することにより、前記くわえ板１３３と前記折ブレード１３４との周方向の間隔を調整する。
【００３５】
このとき、前記折胴１２０において、前記第一の胴カバー１２５と前記第二の胴カバー１２６との対向する端部側同士が、互いに差し込み合い可能な櫛型の歯形状をなしていることから、前記第一の胴本体１２１に対する前記第二の胴本体１２２の周方向の回動移動は阻害されることがない。
【００３６】
また、前記搬送ベルト１５１は、前記折胴１２０の前記駆動軸１２０ａの軸方向で重なる前記第一の胴カバー１２５と前記第二の胴カバー１２６との対向する端部側に当接するときに、当該第一の胴カバー１２５及び当該第二の胴カバー１２６の両方に上記駆動軸１２０ａの軸方向で同時に当接する、すなわち、幅方向において当該第一の胴カバー１２５と当該第二の胴カバー１２６との両方に支持されていることから、当該第一の胴カバー１２５と当該第二の胴カバー１２６との対向する端部の間に隙間を生じても、当該隙間から当該折胴１２０の径方向内側に大きく入り込むことがない。
【００３７】
このため、前記折胴１２０と前記搬送ベルト１５１とで協働して搬送されているシートが当該折胴１２０の前記隙間から径方向内側へ入り込んでしまうことを防止できると共に、当該搬送ベルト１５１の走行区間がショートカットされることなく当該折胴１２０の外周面に沿うようになるので、当該折胴１２０の外周面と当該搬送ベルト１５０とを同速度にすることができ、シワや曲がりを発生させることなくシートを搬送することができる。
【００３８】
また、シートを二枚重ねて搬送するときとシートを搬送しないときとが交互に行われるコレクト折の場合、シートが二枚重ねられて搬送されるときに、重ねられたシートにずれを生じさせることなく当該シートを搬送することができ、折丁に内側と外側とでずれが生じることを防止できると共に、シートが搬送されていないときに、前記搬送ベルト１５１の走行区間のショートカットに伴う前記折胴１２０と前記搬送ベルト１５０との速度差による当該搬送ベルト１５０の摩耗を防止することができ、当該搬送ベルト１５０の早期劣化を防止することができる。
【００３９】
したがって、本実施形態に係る折機１００によれば、折丁の折精度及び品質の低下を大きく抑制することができると共に、搬送ベルト１５１のメンテナンスに要する手間を削減することができ、生産性の低下を防止することができる。
【００４０】
また、前記折胴１２０の前記第二の胴カバー１２６に前記突出部１２６ａが設けられているので、当該折胴１２０の径方向内側への前記搬送ベルト１５１の入り込みをさらに確実に防止することができる。
【００４１】
〈他の実施形態〉
なお、前述した実施形態においては、前記第二の胴カバー１２６に前記突出部１２６ａを形成した前記折胴１２０の場合について説明したが、他の実施形態として、例えば、第一の胴カバーの針寄りに、搬送ベルトを幅方向全長にわたって支承する突出部を櫛型の各歯ごとにそれぞれ形成した折胴や、第一の胴カバー及び第二の胴カバーの両方に突出部を設けた折胴を適用することも可能である。
【００４２】
また、前述した実施形態においては、前記胴本体１２１，１２２に前記胴カバー１２５，１２６を組み付けた前記折胴１２０を適用した場合について説明したが、本発明は、これに限らず、例えば、第一，二の胴本体に第一，二の胴カバーを一体的に形成した折胴を適用した場合であっても、前述した実施形態の場合と同様に適用可能である。
【００４３】
また、前述した実施形態においては、前記第一の胴カバー１２５と前記第二の胴カバー１２６との対向する端部側同士が、互いに差し込み合い可能な櫛型の歯形状をなす前記折胴１２０を適用した場合について説明したが、本発明は、これに限らず、第一の胴カバーと第二の胴カバーとの対向する端部側同士が、第一の胴本体に対する第二の胴本体の周方向の回動移動に伴って、周方向に重なることなく折胴の軸方向に重なる位置に位置できる形状をなす折胴の場合であれば、前述した実施形態の場合と同様に適用可能である。
【産業上の利用可能性】
【００４４】
本発明に係る折機は、折丁の折精度及び品質の低下を大きく抑制することができると共に、搬送ベルトのメンテナンスに要する手間を削減することができ、生産性の低下を防止することができるので、印刷産業等において、極めて有益に利用することができる。
【符号の説明】
【００４５】
１  ウエブ
１００  折機
１１０  断裁胴
１１１  断裁刃
１２０  折胴
１２０ａ  駆動軸
１２１  第一の胴本体
１２２  第二の胴本体
１２３  針
１２３ａ  針作動軸
１２３ｂ  針ホルダ
１２４  折ブレード
１２４ａ  折ブレード作動軸
１２４ｂ  折ブレードホルダ
１２５  第一の胴カバー
１２６  第二の胴カバー
１２６ａ  突起部
１３０  第一のくわえ胴
１３１  第一の胴本体
１３２  第二の胴本体
１３３  くわえ板
１３４  折ブレード
１４０  第二のくわえ胴
１４１  くわえ板
１５１  搬送ベルト
１５２  ガイドローラ
１５３  プーリ
【図１】
2015160726.tif 000003
【図２】
2015160726.tif 000004
【図３】
2015160726.tif 000005